(57)【要約】【課題】発信者側の意図に沿った表現形式で位置情報を受信側に提供すべく、送信側にて位置情報の提供形式を指定選択することが可能な位置情報通知システム、位置情報通知装置、プログラム、記録媒体及び位置情報通知方法を提供する。【解決手段】位置情報通知先装置と通信する位置情報通知装置であって、位置情報通知先装置における自位置情報通知装置の位置情報の出力形式を決定する位置情報出力形式決定部と、位置情報出力形式決定部が決定した出力形式を位置情報通知先装置に対して送信する位置情報通知装置通信部とを備える。【選択図】図３
2008282139.tif 000002
【特許請求の範囲】
【請求項１】
位置情報通知先装置と、前記位置情報通知先装置と通信する位置情報通知装置と外部装置とを備える位置情報通知システムであって、
前記位置情報通知装置は、
前記位置情報通知先装置における自位置情報通知装置の位置情報の出力形式を決定する位置情報出力形式決定部と、
前記位置情報出力形式決定部が決定した出力形式を前記外部装置に対して送信する位置情報通知装置通信部とを備え、
前記外部装置は、
前記位置情報通知装置の位置情報を測位する位置情報測位部と、
前記出力形式と前記位置情報とに関連付けられた位置関連情報を予め記憶する位置関連情報記憶部と、
前記位置情報通知装置通信部から送信された出力形式と前記位置情報測位部が測位した位置情報から関連付けられた位置関連情報を前記位置関連情報記憶部から読み出す位置情報変換部と、
前記位置情報変換部が読み出した位置関連情報を前記位置情報通知先装置に対して送信する外部装置通信部とを備え、
前記位置情報通知先装置は、
前記外部装置から送信された位置関連情報を受信するための位置情報通知先装置通信部と、
受信した前記位置関連情報に基づき制御を行う位置情報通知先装置制御部と、
を備えることを特徴とする位置情報通知システム。
【請求項２】
前記位置情報通知先装置は、前記位置情報通知先装置通信部にて前記外部装置から送信された位置関連情報を受信し、
前記位置関連情報に含まれる所定の制御信号列と位置情報の出力形式を受信した場合に前記位置情報通知先装置の位置を特定するための情報を前記外部装置に対して送信することを特徴とする請求項１に記載の位置情報通知システム。
【請求項３】
前記外部装置は、
前記位置情報通知先装置から位置特定のための情報を受信し、
前記位置特定のための情報に含まれる位置情報の出力形式と、前記位置情報測位部にて測位された前記位置情報通信先装置の位置情報から、前記位置情報変換部にて前記位置関連情報記憶部から位置関連情報を読み出し、
前記位置関連情報を前記位置情報通知装置に対して送信する外部装置通信部を備えることを特徴とする請求項２に記載の位置情報通知システム。
【請求項４】
位置情報通知先装置と、前記位置情報通知先装置と通信する位置情報通知装置と外部装置とを備える位置情報通知システムであって、
前記位置情報通知装置は、
前記位置情報通知先装置における自位置情報通知装置の位置情報の出力形式を決定する位置情報出力形式決定部と、
自位置情報通知装置の位置情報を測位する位置情報測位部と、
前記位置情報出力形式決定部が決定した出力形式と前記位置情報測位部が測位した位置情報とを前記外部装置に対して送信する位置情報通知装置通信部とを備え、
前記外部装置は、
前記出力形式と前記位置情報とに関連付けられた位置関連情報を予め記憶する位置関連情報記憶部と、
前記位置情報通知装置通信部から送信された出力形式と位置情報とに関連付けられた位置関連情報を前記位置関連情報記憶部から読み出す位置情報変換部と、
前記位置情報変換部が読み出した位置関連情報を前記位置情報通知先装置に対して送信する外部装置送信部とを備え、
前記位置情報通知先装置は、
前記外部装置から送信された位置関連情報を受信するための位置情報通知先装置通信部と、
受信した前記位置関連情報に基づき制御を行う位置情報通知先装置制御部と、
を備えることを特徴とする位置情報通知システム。
【請求項５】
前記位置情報通知先装置は、前記位置情報通知先装置の位置情報を測位する位置情報通知先装置位置情報測位部を備え、
前記位置情報通知先装置通信部にて前記外部装置に対し前記外部装置から送信された前記位置関連情報を受信し、
前記位置関連情報に含まれる所定の制御信号列と位置情報の出力形式を受信した場合に前記位置情報通知先装置での位置関連情報と前記位置情報通知先装置位置情報測位部により測位された測位情報を前記外部装置に対して送信することを特徴とする請求項３に記載の位置情報通知システム。
【請求項６】
位置情報通知先装置と通信する位置情報通知装置により構成される位置情報通知システムであって、
前記位置情報通知装置は、
前記位置情報通知先装置における自位置情報通知装置の位置情報の出力形式を決定する位置情報出力形式決定部と、
自位置情報通知装置の位置情報を測位する位置情報測位部と、
前記出力形式と前記位置情報とに関連付けられた位置関連情報を予め記憶する位置関連情報記憶部と、
前記位置情報出力形式決定部が決定した出力形式と前記位置情報測位部が測位した位置情報とに基づき、位置関連情報を前記位置関連情報記憶部から読み出す位置情報変換部と、
前記位置情報変換部が読み出した位置関連情報を前記位置情報通知先装置に対して送信する位置情報通知装置通信部とを備え、
前記位置情報通知先装置は、
前記外部装置から送信された位置関連情報を受信するための位置情報通知先装置通信部と、
受信した前記位置関連情報に基づき制御を行う位置情報通知先装置制御部とを備えることを特徴とする位置情報通知システム。
【請求項７】
前記位置情報通知先装置は、前記位置情報通知先装置の位置情報を測位する位置情報通知先装置位置情報測位部を備え、
前記位置情報通知先装置通信部にて前記外部装置に対し前記外部装置から送信された前記位置関連情報を受信し、
前記位置関連情報に含まれる所定の制御信号列と位置情報の出力形式を受信した場合に前記位置情報通知先装置での位置関連情報と前記位置情報通知先装置位置情報測位部により測位された測位情報を前記外部装置に対して送信することを特徴とする請求項５に記載の位置情報通知システム。
【請求項８】
位置情報通知先装置と通信する位置情報通知装置であって、
前記位置情報通知先装置における自位置情報通知装置の位置情報の出力形式を決定する位置情報出力形式決定部と、
前記位置情報出力形式決定部が決定した出力形式を前記位置情報通知先装置に対して送信する位置情報通知装置通信部と、
を備えることを特徴とする位置情報通知装置。
【請求項９】
自位置情報通知装置は利用者の入力を受け付ける入力部を備え、
前記位置情報出力形式決定部は、前記入力部での入力に基づいて前記出力形式を決定することを特徴とする請求項８に記載の位置情報通知装置。
【請求項１０】
前記位置情報出力形式決定部は、複数の前記出力形式を決定し、
前記位置情報通知装置通信部は、複数の前記出力形式を前記位置情報通知先装置に対して送信することを特徴とする請求項８又は９に記載の位置情報通知装置。
【請求項１１】
自位置情報通知装置の位置情報を測位する位置情報測位部を備え、
前記位置情報通知装置通信部は、前記位置情報出力形式決定部が決定した出力形式と前記位置情報測位部が測位した位置情報とを前記位置情報通知先装置に対して送信することを特徴とする請求項８から１０までのいずれかの項に記載の位置情報通知装置。
【請求項１２】
位置情報通知先装置と通信する位置情報通知装置のコンピュータを、
前記位置情報通知先装置における自位置情報通知装置の位置情報の出力形式を決定する位置情報出力形式決定手段と、
自位置情報通知装置の位置情報を測位する位置情報測位手段と、
前記位置情報出力形式決定手段が決定した出力形式と前記位置情報測位手段が測位した位置情報とを前記位置情報通知先装置に対して送信する位置情報通知装置通信手段として機能させるためのプログラム。
【請求項１３】
請求項１２に記載のコンピュータプログラムを記録した、コンピュータ読取可能な記録媒体。
【請求項１４】
位置情報通知先装置と通信する位置情報通知装置による位置情報通知方法であって、
前記位置情報通知先装置における自位置情報通知装置の位置情報の出力形式を決定する位置情報出力形式決定過程と、
自位置情報通知装置の位置情報を測位する位置情報測位過程と、
前記位置情報出力形式決定過程で決定した出力形式と前記位置情報測位過程で測位した位置情報とを前記位置情報通知先装置に対して送信する位置情報通知装置通信過程と、
を有することを特徴とする位置情報通知方法。
【発明の詳細な説明】
【技術分野】
【０００１】
本発明は、特に、位置情報通知装置の最寄りの駅などの位置関連情報を位置情報通知先装置に対して通知するための位置情報通知システム、位置情報通知装置、プログラム、記録媒体及び位置情報通知方法に関する。
【背景技術】
【０００２】
ネットワーク技術の発達により、時間、空間を問わずサービスを利用できる環境が整いつつある。位置情報を利用する情報処理技術もそのサービスの一つであり、携帯端末にＧＰＳ（Global Positioning System：全地球測位システム）機能を組み込むことで携帯端末の位置情報を取得し、地図情報と組み合わせて表示を行うサービスが一般的に利用されている。
【０００３】
従来、ＧＰＳ座標データに基づいて位置情報通知装置の位置を特定し、その特定した位置の地名を位置情報通知先装置に通知する方法が知られている（特許文献１）。この特許文献１では、位置検出を行うためのＧＰＳ受信機と、与えられた位置座標から地名の対応付けを行うための地名変換情報を記憶する記憶部と、与えられた位置情報との間の照合を行い、適切な地名を読み出す制御部と、読み出した地名を位置情報通知先装置に対して送信する通信部とを具備した位置情報通知装置が開示されている。
【特許文献１】特開２０００−３４８２９１号公報
【発明の開示】
【発明が解決しようとする課題】
【０００４】
しかしながら、従来の技術では位置情報の解釈処理結果をどのような形で送信相手に対し提示あるいは表示すべきかを決定できない。ＧＰＳデータを機械可読なデータとして搭載することは可能ではあるものの、そのままでは送信者側は受信側端末での表示形式を送信者側の意図に沿った表現にて位置情報を受信側端末に提供することができない。
また、提供する位置情報を、受信者が容易に理解できる形で、メール等の文章内に組み込み利用することが困難であることから、送信側の利用者が平易に位置情報を含むデータを作成でき、その表現形式をも容易に規定できる必要がある。
【０００５】
本発明は、上記事情に鑑みてなされたものであり、その目的は、発信者側の意図に沿った表現形式で位置情報を受信側に提供すべく、送信側にて位置情報の提供形式を指定選択することが可能な位置情報通知システム、位置情報通知装置、プログラム、記録媒体及び位置情報通知方法を提供することにある。
【課題を解決するための手段】
【０００６】
本発明は、上記課題を解決するためになされたもので、位置情報通知先装置と、前記位置情報通知先装置と通信する位置情報通知装置と外部装置とを備える位置情報通知システムであって、前記位置情報通知装置は、前記位置情報通知先装置における自位置情報通知装置の位置情報の出力形式を決定する位置情報出力形式決定部と、前記位置情報出力形式決定部が決定した出力形式を前記外部装置に対して送信する位置情報通知装置通信部とを備え、前記外部装置は、前記位置情報通知装置の位置情報を測位する位置情報測位部と、前記出力形式と前記位置情報とに関連付けられた位置関連情報を予め記憶する位置関連情報記憶部と、前記位置情報通知装置通信部から送信された出力形式と前記位置情報測位部が測位した位置情報から関連付けられた位置関連情報を前記位置関連情報記憶部から読み出す位置情報変換部と、前記位置情報変換部が読み出した位置関連情報を前記位置情報通知先装置に対して送信する外部装置通信部とを備え、前記位置情報通知先装置は、前記外部装置から送信された位置関連情報を受信するための位置情報通知先装置通信部と、受信した前記位置関連情報に基づき制御を行う位置情報通知先装置制御部とを備える。
本発明では、位置情報通知装置において、位置情報通知先装置における自位置情報通知装置の位置情報の出力形式を位置情報出力形式決定部が決定し、位置情報出力形式決定部が決定した出力形式を外部装置に対して位置情報通知装置通信部が送信するようにした。また、外部装置において、位置情報通知装置の位置情報を位置情報測位部が測位し、出力形式と位置情報とに関連付けられた位置関連情報を位置関連情報記憶部が予め記憶し、位置情報通知装置通信部から送信された出力形式と位置情報測位部が測位した位置情報から関連付けられた位置関連情報を位置関連情報記憶部から位置情報変換部が読み出し、位置情報変換部が読み出した位置関連情報を位置情報通知先装置に対して外部装置通信部が送信するようにした。また、位置情報通知先装置において、外部装置から送信された位置関連情報を位置情報通知先装置通信部が受信し、受信した位置関連情報に基づき位置情報通知先装置制御部が制御を行うようにした。
よって、発信者側の意図に沿った表現形式で位置情報を受信側に提供すべく、送信側にて位置情報の提供形式を指定選択することが可能となる。
【０００７】
また、本発明の位置情報通知システムの前記位置情報通知先装置は、前記位置情報通知先装置通信部にて前記外部装置から送信された位置関連情報を受信し、前記位置関連情報に含まれる所定の制御信号列と位置情報の出力形式を受信した場合に前記位置情報通知先装置の位置を特定するための情報を前記外部装置に対して送信する。
本発明では、所定の制御信号列を受信した場合には、位置情報通知装置の利用者が位置情報出力形式決定部で出力形式を決定しなくても、自位置情報通知装置の位置情報についての位置関連情報を位置情報通知先装置に通知することができ、利用者の操作負担を軽減することができる。
【０００８】
また、本発明の位置情報通知システムの前記外部装置は、前記位置情報通知先装置から位置特定のための情報を受信し、前記位置特定のための情報に含まれる位置情報の出力形式と、前記位置情報測位部にて測位された前記位置情報通信先装置の位置情報から、前記位置情報変換部にて前記位置関連情報記憶部から位置関連情報を読み出し、前記位置関連情報を前記位置情報通知装置に対して送信する外部装置通信部を備える。
本発明では、位置情報通知装置が、位置情報出力形式決定部が決定した出力形式で、位置情報通知先装置の位置情報を取得することができる。
【０００９】
また、本発明の位置情報通知システムは、位置情報通知先装置と、前記位置情報通知先装置と通信する位置情報通知装置と外部装置とを備える位置情報通知システムであって、前記位置情報通知装置は、前記位置情報通知先装置における自位置情報通知装置の位置情報の出力形式を決定する位置情報出力形式決定部と、自位置情報通知装置の位置情報を測位する位置情報測位部と、前記位置情報出力形式決定部が決定した出力形式と前記位置情報測位部が測位した位置情報とを前記外部装置に対して送信する位置情報通知装置通信部とを備え、前記外部装置は、前記出力形式と前記位置情報とに関連付けられた位置関連情報を予め記憶する位置関連情報記憶部と、前記位置情報通知装置通信部から送信された出力形式と位置情報とに関連付けられた位置関連情報を前記位置関連情報記憶部から読み出す位置情報変換部と、前記位置情報変換部が読み出した位置関連情報を前記位置情報通知先装置に対して送信する外部装置送信部とを備え、前記位置情報通知先装置は、前記外部装置から送信された位置関連情報を受信するための位置情報通知先装置通信部と、受信した前記位置関連情報に基づき制御を行う位置情報通知先装置制御部とを備える。
本発明では、位置情報通知装置において、位置情報通知先装置における自位置情報通知装置の位置情報の出力形式を位置情報出力形式決定部が決定し、自位置情報通知装置の位置情報を位置情報測位部が測位し、位置情報出力形式決定部が決定した出力形式と位置情報測位部が測位した位置情報とを外部装置に対して位置情報通知装置通信部が送信するようにした。また、外部装置において、出力形式と位置情報とに関連付けられた位置関連情報を位置関連情報記憶部が予め記憶し、位置情報通知装置通信部から送信された出力形式と位置情報とに関連付けられた位置関連情報を位置関連情報記憶部から位置情報変換部が読み出し、位置情報変換部が読み出した位置関連情報を位置情報通知先装置に対して外部装置送信部が送信するようにした。また、位置情報通知先装置において、外部装置から送信された位置関連情報を位置情報通知先装置通信部が受信し、受信した位置関連情報に基づき位置情報通知先装置制御部が制御を行うようにした。
よって、発信者側の意図に沿った表現形式で位置情報を受信側に提供すべく、送信側にて位置情報の提供形式を指定選択することが可能となる。
【００１０】
また、本発明の位置情報通知システムの前記位置情報通知先装置は、前記位置情報通知先装置の位置情報を測位する位置情報通知先装置位置情報測位部を備え、前記位置情報通知先装置通信部にて前記外部装置に対し前記外部装置から送信された前記位置関連情報を受信し、前記位置関連情報に含まれる所定の制御信号列と位置情報の出力形式を受信した場合に前記位置情報通知先装置での位置関連情報と前記位置情報通知先装置位置情報測位部により測位された測位情報を前記外部装置に対して送信する。
本発明では、位置情報出力形式決定部が決定した出力形式で、位置情報通知先装置の位置情報を外部装置に対して送信することができる。
【００１１】
また、本発明の位置情報通知システムは、位置情報通知先装置と通信する位置情報通知装置により構成される位置情報通知システムであって、前記位置情報通知装置は、前記位置情報通知先装置における自位置情報通知装置の位置情報の出力形式を決定する位置情報出力形式決定部と、自位置情報通知装置の位置情報を測位する位置情報測位部と、前記出力形式と前記位置情報とに関連付けられた位置関連情報を予め記憶する位置関連情報記憶部と、前記位置情報出力形式決定部が決定した出力形式と前記位置情報測位部が測位した位置情報とに基づき、位置関連情報を前記位置関連情報記憶部から読み出す位置情報変換部と、前記位置情報変換部が読み出した位置関連情報を前記位置情報通知先装置に対して送信する位置情報通知装置通信部とを備え、前記位置情報通知先装置は、前記外部装置から送信された位置関連情報を受信するための位置情報通知先装置通信部と、受信した前記位置関連情報に基づき制御を行う位置情報通知先装置制御部とを備える。
本発明では、位置情報通知装置において、位置情報通知先装置における自位置情報通知装置の位置情報の出力形式を位置情報出力形式決定部が決定し、自位置情報通知装置の位置情報を位置情報測位部が測位し、出力形式と位置情報とに関連付けられた位置関連情報を位置関連情報記憶部が予め記憶し、位置情報出力形式決定部が決定した出力形式と位置情報測位部が測位した位置情報とに基づき、位置関連情報を位置関連情報記憶部から位置情報変換部が読み出し、位置情報変換部が読み出した位置関連情報を位置情報通知先装置に対して位置情報通知装置通信部が送信するようにした。また、位置情報通知先装置において、外部装置から送信された位置関連情報を位置情報通知先装置通信部が受信し、受信した位置関連情報に基づき位置情報通知先装置制御部が制御を行うようにした。
よって、発信者側の意図に沿った表現形式で位置情報を受信側に提供すべく、送信側にて位置情報の提供形式を指定選択することが可能となる。
【００１２】
また、本発明の位置情報通知システムの前記位置情報通知先装置は、前記位置情報通知先装置の位置情報を測位する位置情報通知先装置位置情報測位部を備え、前記位置情報通知先装置通信部にて前記外部装置に対し前記外部装置から送信された前記位置関連情報を受信し、前記位置関連情報に含まれる所定の制御信号列と位置情報の出力形式を受信した場合に前記位置情報通知先装置での位置関連情報と前記位置情報通知先装置位置情報測位部により測位された測位情報を前記外部装置に対して送信する。
【００１３】
また、本発明の位置情報通知装置は、位置情報通知先装置と通信する位置情報通知装置であって、前記位置情報通知先装置における自位置情報通知装置の位置情報の出力形式を決定する位置情報出力形式決定部と、前記位置情報出力形式決定部が決定した出力形式を前記位置情報通知先装置に対して送信する位置情報通知装置通信部とを備える。
【００１４】
また、本発明の位置情報通知装置は、自位置情報通知装置は利用者の入力を受け付ける入力部を備え、前記位置情報出力形式決定部は、前記入力部での入力に基づいて前記出力形式を決定する。
【００１５】
また、本発明の位置情報通知装置は、前記位置情報出力形式決定部は、複数の前記出力形式を決定し、前記位置情報通知装置通信部は、複数の前記出力形式を前記位置情報通知先装置に対して送信する。
【００１６】
また、本発明の位置情報通知装置は、自位置情報通知装置の位置情報を測位する位置情報測位部を備え、前記位置情報通知装置通信部は、前記位置情報出力形式決定部が決定した出力形式と前記位置情報測位部が測位した位置情報とを前記位置情報通知先装置に対して送信する。
【００１７】
また、本発明のプログラムは、位置情報通知先装置と通信する位置情報通知装置のコンピュータを、前記位置情報通知先装置における自位置情報通知装置の位置情報の出力形式を決定する位置情報出力形式決定手段と、自位置情報通知装置の位置情報を測位する位置情報測位手段と、前記位置情報出力形式決定手段が決定した出力形式と前記位置情報測位手段が測位した位置情報とを前記位置情報通知先装置に対して送信する位置情報通知装置通信手段として機能させる。
【００１８】
また、本発明の記録媒体は、上記のコンピュータプログラムを記録した、コンピュータ読取可能な記録媒体である。
【００１９】
また、本発明の位置情報通知方法は、位置情報通知先装置と通信する位置情報通知装置による位置情報通知方法であって、前記位置情報通知先装置における自位置情報通知装置の位置情報の出力形式を決定する位置情報出力形式決定過程と、自位置情報通知装置の位置情報を測位する位置情報測位過程と、前記位置情報出力形式決定過程で決定した出力形式と前記位置情報測位過程で測位した位置情報とを前記位置情報通知先装置に対して送信する位置情報通知装置通信過程とを有する。
【発明の効果】
【００２０】
本発明では、発信者側の意図に沿った表現形式で位置情報を受信側に提供すべく、送信側にて位置情報の提供形式を指定選択することができる。
【発明を実施するための最良の形態】
【００２１】
（第１の実施形態）
図１は、本発明の第１の実施形態による位置情報通知システムの概略構成図である。この位置情報通知システムは、位置情報通知装置１００ａ、基地局装置２２０、制御局装置２３０、外部装置２４０ａ、基地局装置２５０、位置情報通知先装置２６０ａを備えている。
位置情報通知装置１００ａ、位置情報通知先装置２６０ａは、携帯電話、ＰＨＳ（Personal Handyphone System）、ＰＤＡ（Personal Digital Assistant：携帯情報端末）などの携帯端末である。また、基地局装置２２０、基地局装置２５０は、それぞれ所定の距離内に存在する位置情報通知装置１００ａや位置情報通知先装置２６０ａと無線通信を行う機器である。制御局装置２３０は、基地局装置２２０及び基地局装置２５０と有線又は無線により接続され、基地局装置２２０及び基地局装置２５０を制御する機器である。外部装置２４０ａは、サーバなどの機器であり、制御局装置２３０と接続されており、制御局装置２３０を通過する信号に対して所定の処理を行う。
【００２２】
なお、本発明の第１の実施形態による位置情報通知システムの構成は、図１に示したような構成に限定されるものではなく、図２に示すような構成としてもよい。図２の位置情報通知システムは、位置情報通知装置３１０、外部装置３４０、位置情報通知先装置３６０を備えている。図２の位置情報通知装置３１０、外部装置３４０、位置情報通知先装置３６０は、図１の位置情報通知装置１００ａ、外部装置２４０ａ、位置情報通知先装置２６０ａにそれぞれ対応している。位置情報通知装置３１０、外部装置３４０、位置情報通知先装置３６０はそれぞれネットワーク３３０（例えば、インターネットなど）に接続されている。
位置情報通知装置３１０、位置情報通知先装置３６０は、携帯電話やＰＤＡなどの携帯端末である。外部装置３４０は、サーバなどの機器であり、位置情報通知装置３１０と位置情報通知先装置３６０との間で送受信される信号に対して、所定の処理を行う。
【００２３】
図３は、本発明の第１の実施形態による位置情報通知装置１００ａ、外部装置２４０ａ、位置情報通知先装置２６０ａのブロック図である。なお、図３では、図１における基地局装置２２０、制御局装置２３０、基地局装置２５０の図示は省略しており、位置情報通知装置１００ａと位置情報通知先装置２６０ａとの間で、外部装置２４０ａを介して通信を行う場合について説明する。
位置情報通知装置１００ａは、位置情報測位部１０２ａ、表示部１０３、入力部１０４、通信部１０９（位置情報通知装置通信部とも称する）、制御部１１１を備えている。なお、制御部１１１は、ポリシー制御部１０５、位置情報出力形式決定部１０６、送信情報生成部１０８、位置情報コーパス記憶部１１０からなる。
【００２４】
位置情報測位部１０２ａは、ＧＰＳを備えており、自位置情報通知装置１００ａの位置情報を測位する。つまり、位置情報測位部１０２ａはＧＰＳ衛星から送信される電波を受信することにより、位置情報（緯度と経度）を特定する。位置情報測位部１０２ａは位置情報として、例えば、（緯度，経度）＝（ｘ０，ｙ０）を測位する。
位置情報通知装置１００ａの表示部１０３は、ＬＣＤ（Liquid Crystal Display：液晶ディスプレイ）などの表示機器であり、制御部１１１が出力する画像情報を表示する。
入力部１０４は、キーボード、マウス、キーパッド、タッチパネルなどの入力機器であり、自位置情報通知装置１００ａの利用者の入力を受け付ける。利用者の入力に基づいて、入力部１０４には、位置情報の出力形式（駅など）や、制御信号列（＠ｈｅｒｅなど）の情報が入力される。入力部１０４は、入力された情報を制御部１１１に出力する。
通信部１０９は、送信情報生成部１０８が生成する送信情報を、外部装置２４０ａを介して、位置情報通知先装置２６０ａに対して送信する。
【００２５】
ポリシー制御部１０５は、位置情報測位部１０２ａから出力される位置情報をどのように表示するかに関するルールに基づく処理を行い、決定された情報を位置情報出力形式決定部１０６を介して、送信情報生成部１０８に出力する。そのとき、ポリシー制御部１０５は、位置情報コーパス記憶部１１０に記憶されている出力形式の種類を読み出して、位置情報出力形式決定部１０６に出力する。ポリシー制御部１０５にてルールベースでの制御を行うことで位置情報出力形式を自動的に選択させることが可能である（例えば「最寄り駅」をデフォルトとして使用する設定や、「最寄り駅」に加え「ランドマーク」に関する位置情報表示をあわせて行う、などが可能となる）。位置情報コーパス記憶部１１０にはポリシー制御部１０５での条件判定によるオプション選択の際に参照され、位置情報をどのように表示するかに関するルールが予め格納される他、規定される出力形式に関する情報が格納される。
位置情報出力形式決定部１０６は、ポリシー制御部１０５から出力される出力オプションに基づいて、出力形式を選択するための文字または画像情報を表示部１０３に表示させる。また、位置情報出力形式決定部１０６は、入力部１０４から出力される入力情報に基づいて、自位置情報通知装置１００ａの位置情報の位置情報通知先装置２６０ａでの出力形式を決定し、その決定結果を送信情報生成部１０８に出力する。
送信情報生成部１０８は、出力形式（駅（ｓｔａｔｉｏｎ）など）や、制御信号列（＠ｈｅｒｅなど）や、位置情報測位部１０２ａが測位した位置情報（（ｘ０，ｙ０）など）を含み位置情報通知先装置２６０ａに送信する送信情報（＠ｈｅｒｅ｛ｓｔａｔｉｏｎ}、（ｘ０，ｙ０））を位置情報出力時において機械可読な形式にて生成し、通信部１０９に出力する。
位置情報コーパス記憶部１１０は、メモリなどの記憶機器であり、出力形式の種類およびその抽出ルールを記憶する。本実施形態では、ポリシー制御部１０５は出力形式の種類として、駅（ｓｔａｔｉｏｎ）、ランドマーク（ｌａｎｄｍａｒｋ）、住所（ａｄｄｒｅｓｓ）、店舗（ｓｈｏｐ）を記憶するものとする。抽出ルールとしてはこれらを均等の優先度にて取り扱うこととするが、例えば駅（ｓｔａｔｉｏｎ）での出力形式をデフォルトに設定することは容易に可能である。
【００２６】
外部装置２４０ａは、位置情報変換部２４１、位置関連情報記憶部２４２ａ、通信部２４３（外部装置通信部とも称する）を備えている。
位置情報変換部２４１は、通信部１０９から送信された送信情報に含まれる出力形式と位置情報とに関連付けられた位置関連情報（例えば、東京駅）を、位置関連情報記憶部２４２ａから読み出し、送信情報を位置関係情報に変換する。
位置関連情報記憶部２４２ａは、出力形式と位置情報とに関連付けられた位置関連情報を予め記憶するＤＢである。
【００２７】
例えば、位置関連情報記憶部２４２ａは、出力形式が駅であって位置情報が（緯度，経度）＝（ｘ０，ｙ０）である場合に、位置関連情報として東京駅を記憶している。出力形式の駅とは、位置情報通知装置１００ａが存在する地点の最寄りの駅（例えば、東京駅）を示している。
また、位置関連情報記憶部２４２ａは、出力形式が住所であって位置情報が（緯度，経度）＝（ｘ０，ｙ０）である場合に、位置関連情報として東京都千代田区×−×−×を記憶している。出力形式のランドマークとは、位置情報通知装置１００ａが存在する地点の地域情報（例えば、△△ビル前）を示している。
【００２８】
また、位置関連情報記憶部２４２ａは、出力形式がランドマークであって位置情報が（緯度，経度）＝（ｘ０，ｙ０）である場合に、位置関連情報として△△ビル前を記憶している。出力形式の住所とは、位置情報通知装置１００ａが存在する地点の住所（例えば、東京都千代田区×−×−×）を示している。
また、位置関連情報記憶部２４２ａは、出力形式が店舗であって位置情報が（緯度，経度）＝（ｘ０，ｙ０）である場合に、位置関連情報として○○コーヒー東京店を記憶している。すなわち、出力形式の店舗とは、位置情報通知装置１００ａが存在する地点の最寄りの店舗（例えば、○○コーヒー東京店）を示している。
【００２９】
通信部２４３は、位置情報変換部２４１が読み出した位置関連情報が含まれる送信情報を、位置情報通知先装置２６０ａに対して送信する。
【００３０】
位置情報通知先装置２６０ａは、制御部２６１（位置情報通知先装置制御部とも称する）、表示部２６２、通信部２６３（位置情報通知先装置通信部とも称する）を備えている。
制御部２６１は、通信部２６３から送信情報が出力された場合に、その送信情報に含まれる位置関連情報などを表示部２６３に表示する。
表示部２６３は、ＬＣＤなどの表示機器であり、制御部２６１から出力される位置関連情報などを表示する。
通信部２６３は、外部装置２４０ａの通信部２４３から送信情報を受信し、制御部２６１に出力する。
【００３１】
図４は、本発明の第１の実施形態による位置情報通知システムの処理を示すシーケンス図である。なお、図４の処理を行う前提として、位置関連情報記憶部２４２ａには、位置情報の出力形式と位置情報とに関連付けられた位置関連情報が予め記録される。
【００３２】
始めに、位置情報出力形式決定部１０６は、位置情報通知装置１００ａの利用者の入力部１０４での入力に基づいて、位置情報通知先装置２６０ａにおける自位置情報通知装置１００ａの位置情報の出力形式（例えば、ｓｔａｔｉｏｎ）や、制御信号列（例えば、＠ｈｅｒｅ）を決定し（ステップＳ１０）、それらの情報を送信情報生成部１０８に出力する。
そして、位置情報測位部１０２ａは、自位置情報通知装置１００ａの位置情報（例えば、（緯度，経度）＝（ｘ０，ｙ０））を測位し（ステップＳ１２）、その位置情報をポリシー制御部１０５、位置情報出力形式決定部１０６を介して、送信情報生成部１０８に出力する。
【００３３】
次に、送信情報生成部１０８は、位置情報出力形式決定部１０６から出力される出力形式（例えば、ｓｔａｔｉｏｎ）及び制御信号列（例えば、＠ｈｅｒｅ）と、位置情報測位部１０２ａが測位した位置情報（例えば、（緯度，経度）＝（ｘ０，ｙ０））とを含む送信情報（例えば、＠ｈｅｒｅ｛ｓｔａｔｉｏｎ｝、（ｘ０，ｙ０））を生成する（ステップＳ１２）。
そして、通信部１０９は、送信情報生成部１０８が生成した送信情報を、外部装置２４０ａに対して送信する（ステップＳ１３）。
【００３４】
通信部２４３は、位置情報通知装置１００ａからステップＳ１３で送信された送信情報を受信し（ステップＳ１４）、位置情報変換部２４１に出力する。
そして、位置情報変換部２４１は、通信部１０９から送信された送信情報（例えば、＠ｈｅｒｅ｛ｓｔａｔｉｏｎ｝、（ｘ０，ｙ０））に含まれる出力形式（例えば、ｓｔａｔｉｏｎ）と位置情報（例えば、（緯度，経度）＝（ｘ０，ｙ０））とに関連付けられた位置関連情報（例えば、東京駅）を、位置関連情報記憶部２４２ａから読み出し（ステップＳ１５）、位置関係情報に変換する。
次に、通信部２４３は、位置情報変換部２４１がステップＳ１５で変換した送信情報（例えば、東京駅）を、位置情報通知先装置２６０ａに対して送信する（ステップＳ１６）。
【００３５】
通信部２６３は、外部装置２４０ａからステップＳ１６で送信された送信情報（例えば、東京駅）を受信し（ステップＳ１７）、制御部２６１に出力する。
そして、制御部２６１は、ステップＳ１７で受信した送信情報を表示部１０３に表示する（ステップＳ１８）。
【００３６】
図５は、本発明の第１の実施形態による位置情報通知装置１００ａの処理を示すフローチャートであり、図４のシーケンス図におけるステップＳ１０〜Ｓ１２の処理に相当する。
始めに、利用者の入力部１０４の操作に基づいて、送信情報の編集開始指示が入力されたか否かについて位置情報出力形式決定部１０６が判定する（ステップＳ５０１）。
編集開始指示がステップＳ５０１で入力された場合には、位置情報出力形式決定部１０６は、入力部１０４から制御文字列（例えば、＠ｈｅｒｅ）が入力されたか否かについて判定する（ステップＳ５０１）制御文字列が入力されていない場合には、ステップＳ５０２で「ＮＯ」と位置情報出力形式決定部１０６が判定し、ステップＳ５０７に進む。
【００３７】
そして、利用者の入力部１０４での操作に基づいて、送信情報の編集終了指示が入力されたか否かについて位置情報出力形式決定部１０６が判定する（ステップＳ５０７）。編集終了指示が入力された場合には、ステップＳ５０７で「ＹＥＳ」と位置情報出力形式決定部１０６が判定し、図５のフローチャートの処理を終了する。一方、編集終了指示が入力されていない場合には、ステップＳ５０７で「ＮＯ」と位置情報出力形式決定部１０６が判定し、前述したステップＳ５０１に進む。
【００３８】
制御文字列が入力された場合には、ステップＳ５０２で「ＹＥＳ」と位置情報出力形式決定部１０６が判定し、ステップＳ５０３に進む。
そして、ポリシー制御部１０５は、ポリシー制御が予め設定されているか否かについて判定する（ステップＳ５０３）。ポリシー制御とは、複数の種類の出力形式（駅、ランドマーク、住所、店舗）のうち、特定の種類の出力形式（例えば、駅とランドマーク）のみの使用を許可するといったルールをいう。このポリシー制御を適切に設定することにより、位置情報通知装置１００ａの利用者が、位置情報通知先装置２６０ａに通知することを望まない位置関連情報が、位置情報通知装置１００ａから位置情報通知先装置２６０ａに送信されることを防ぐことができる。
【００３９】
ポリシー制御が設定されていない場合には、ステップＳ５０３で「ＮＯ」とポリシー制御部１０５が判定し、ステップＳ５０５に進む。そして、入力部１０４での操作に基づいて、位置情報出力形式決定部１０６は、出力形式（例えば、駅）を選択し（ステップＳ５０５）、ステップＳ５０６に進む。
一方、ポリシー制御が設定されている場合には、ステップＳ５０３で「ＹＥＳ」とポリシー制御部１０５が判定し、ステップＳ５０４に進む。そして、ポリシー制御部１０５は、予め設定されているルールを選択し（ステップＳ５０４）、ステップＳ５０６に進む。
【００４０】
そして、他の出力形式（例えば、ランドマーク）も選択するか否かを、入力部１０４の入力に基づいて、位置情報出力形式決定部１０６が判定する（ステップＳ５０６）。他の出力形式も選択する場合には、ステップＳ５０６で「ＹＥＳ」と位置情報出力形式決定部１０６が判定し、ステップＳ５０５に進む。一方、他の出力形式を選択しない場合には、ステップＳ５０６で「ＮＯ」と位置情報出力形式決定部１０６が判定し、ステップＳ５０８に進む。
【００４１】
そして、位置情報測位部１０２ａは、位置情報を測位できるか否かについて判定する（ステップＳ５０８）。位置情報を測位できない場合、例えば、位置情報通知装置１００ａが屋内にあり、ＧＰＳ機能を利用できない場合には、ステップＳ５０８で「ＮＯ」と位置情報測位部１０２ａは判定し、後述するステップＳ５１１に進む。一方、位置情報を測位できる場合には、ステップＳ５０８で「ＹＥＳ」と位置情報測位部１０２ａは判定し、位置情報（例えば、（緯度，経度）＝（ｘ０，ｙ０））を測位する（ステップＳ５０９）。
次に、送信情報生成部１０８は、ステップＳ５０８で測位した位置情報を、位置情報通知先装置２６０ａに送信する送信情報に埋め込み（ステップＳ５１０）、送信情報（＠ｈｅｒｅ｛ｓｔａｔｉｏｎ}、（ｘ０，ｙ０））を生成する（ステップＳ５１１）。そして、ステップＳ５０７に進む。
【００４２】
図６（ａ）〜図６（ｇ）は、本発明の第１の実施形態による位置情報通知装置１００ａの表示部１０３に表示される画像の一例を示す図である。
表示部１０３の表示画面７１０には、２つの領域７１２、７１４が表示されている（図６（ｄ））。利用者が入力部１０４を操作することにより、領域７１２に制御文字列として「＠ｈｅｒｅ」を入力すると、表示部１０３の表示画面７１０は、図６（ｄ）から図６（ａ）のように変化する。
領域７１２に制御文字列＠ｈｅｒｅを入力すると、表示部１０３の表示画面７１０は、図６（ａ）から図６（ｂ）のように変化し、領域７１２に「＠ｈｅｒｅ」という文字列が表示されるとともに、領域７１４に出力形式を選択するための領域７３５（駅）、領域７３６（ランドマーク）、領域７３７（住所）、領域７３８（店舗）が表示される。ここで、図６（ｂ）で、領域７３１（戻る）を選択すると、表示部１０３の表示画面７１０が、図６（ｂ）から図６（ａ）のように変化する。
【００４３】
図６（ｂ）において、領域７３５〜７３８の中から、領域７３５（駅）を選択すると、表示部１０３の表示画面７１０は、図６（ｂ）から図６（ｃ）のように変化し、領域７１２に「＠ｈｅｒｅ｛ｓｔａｔｉｏｎ｝」という文字列が表示される。ここでは、位置情報出力形式として駅（ｓｔａｔｉｏｎ）のみを選択する場合を示しているが、図６（ｃ）で領域７４１（追加）を選択すると、表示部１０３の表示画面７１０が図６（ｃ）から図６（ｂ）のように変化し、複数の位置情報の出力形式を選択することができる。
【００４４】
図６（ｃ）で、領域７４３（送信）を選択すると、表示部１０３の表示画面７１０が図６（ｃ）から図６（ｇ）のように変化し、領域７１２に「位置情報送付しますか？」という文字列が表示される。
図６（ｇ）で、領域７５１（ＮＯ）を選択すると、表示部１０３の表示画面７１０が図６（ｇ）から図６（ｆ）のように変化し、領域７１２に「位置情報送付されません」という文字列が表示される。
【００４５】
一方、図６（ｇ）で、領域７１４（ＯＫ）を選択すると、表示部１０３の表示画面７１０が図６（ｇ）から図６（ｅ）のように変化し、領域７１２に「位置情報送付されます」という文字列が表示される。
図６（ｆ）で、領域７６１（戻る）を選択すると、表示部１０３の表示画面７１０が図６（ｆ）から図６（ｃ）のように変化する。
図６（ｅ）で、領域７７１（ＯＫ）を選択すると、位置情報通知装置１００ａの通信部１０９から外部装置２４０ａに対して送信情報が送信され、表示部１０３の表示画面７１０が図６（ｅ）から図６（ｄ）のように変化する。
【００４６】
図７（ａ）、図７（ｃ）、図７（ｅ）、図７（ｇ）は、本発明の第１の実施形態による位置情報通知装置１００ａの表示部１０３に表示される画像の一例を示す図であり、図７（ｂ）、図７（ｄ）、図７（ｆ）、図７（ｈ）は、本発明の第１の実施形態による位置情報通知先装置２６０ａの表示部２６２に表示される画像の一例を示す図である。なお、ここでは、位置情報通知装置１００ａの位置情報測位部１０２ａが、位置情報として（緯度，経度）＝（ｘ０，ｙ０）を測位した場合について説明する。
【００４７】
位置情報通知装置１００ａの表示部１０３の領域７１２に「＠ｈｅｒｅ｛ｓｔａｔｉｏｎ｝」という文字列を入力すると、つまり、位置情報の出力形式として駅を選択すると（図７（ａ））、位置情報通知先装置２６０ａの表示部２６２の表示画面９３０に位置関連情報として「東京駅」という文字列が表示される（図７（ｂ））。
また、位置情報通知装置１００ａの表示部１０３の領域７１２に「＠ｈｅｒｅ｛ａｄｄｒｅｓｓ｝」という文字列を入力すると、つまり、位置情報の出力形式として住所を選択すると（図７（ｃ））、位置情報通知先装置２６０ａの表示部２６２の表示画面９３０に位置関連情報として「東京都千代田区×−×−×」という文字列が表示される（図７（ｄ））。なお、表示部２６２の表示画面９３０には、領域９３１（地図）が表示されており、この領域９３１が選択された場合には、位置関連情報（東京都千代田区×−×−×）の周辺の地図を、地図を記憶しているサーバから取得して、表示画面９３０に表示する。
【００４８】
また、位置情報通知装置１００ａの表示部１０３の領域７１２に「＠ｈｅｒｅ｛ｌａｎｄｍａｒｋ｝」という文字列を入力すると、つまり、位置情報の出力形式としてランドマークを選択すると（図７（ｅ））、位置情報通知先装置２６０ａの表示部２６２の表示画面９３０に位置関連情報として「△△ビル前」という文字列が表示される（図７（ｆ））。
また、位置情報通知装置１００ａの表示部１０３の領域７１２に「＠ｈｅｒｅ｛ｓｈｏｐ｝」という文字列を入力すると、つまり、位置情報の出力形式として店舗を選択すると（図７（ｇ））、位置情報通知先装置２６０ａの表示部２６２の表示画面９３０に位置関連情報として「○○コーヒー東京店」という文字列が表示される（図７（ｈ））。なお、表示部２６２の表示画面９３０には、領域９３２（リンク）が表示されており、この領域９３２が選択された場合には、位置関連情報（○○コーヒー東京店）のホームページを、インターネット上のサーバから取得して、表示画面９３０に表示する。
【００４９】
このように、本発明の第１の実施形態による位置情報通知システムを用いれば、位置情報通知装置１００ａの利用者が、最寄りの駅が東京駅であることを調べて、位置情報通知装置１００ａの入力部１０４から東京駅と入力しなくても、位置情報の出力形式を駅と選択するだけで、位置情報通知先装置２６０ａに位置関連情報として東京駅を通知することができるので、位置情報通知装置１００ａの利用者の入力作業に要する負担を軽減することができる。
【００５０】
なお、図８（ａ）〜図８（ｃ）に示すように、位置情報通知装置１００ａで複数の出力形式を選択して、位置情報通知先装置２６０ａに送信するようにしてもよい。つまり、位置情報通知装置１００ａの表示部１０３の領域７１２に「＠ｈｅｒｅ｛ｓｔａｔｉｏｎ，ｌａｎｄｍａｒｋ｝」と入力することにより、２つの出力形式（ここでは、駅とランドマーク）を選択し（図８（ａ））、位置情報通知先装置２６０ａの表示部２６２の表示画面９３０に、出力形式が駅に対応する位置関連情報（東京駅）と（図８（ｂ））、出力形式がランドマークに対応する位置関連情報（△△ビル前）を（図８（ｃ））、所定の時間間隔（例えば、１秒）毎に切り替えて表示するようにしてもよい。
【００５１】
（第２の実施形態）
次に、本発明の第２の実施形態について説明する。なお、第２の実施形態が第１の実施形態と同様の構成を有する部分については、同一の符号を付してそれらの説明を省略する。
【００５２】
図９は、本発明の第２の実施形態による位置情報通知装置１００ｂ、外部装置２４０ｂ、位置情報通知先装置２６０ｂのブロック図である。
第２の実施形態では、位置情報通知装置１００ｂには位置情報測位部１０２ａが設けられておらず、位置情報通知先装置２４０ｂに位置情報測位部１０２ｂが設けられている点において、第１の実施形態（図３）と相違する。位置関連情報記憶部２４２ｂに記憶されている情報は、第１の実施形態における位置関連情報記憶部２４２ａと同じであるので、その説明を省略する。
【００５３】
位置情報測位部１０２ｂは、自外部装置２４０ｂが設置されている地点の位置情報（例えば、（緯度，経度）＝（ｘ１，ｙ１））を記憶しており、位置情報通知装置１００ｂから送信情報（例えば、＠ｈｅｒｅ｛ｓｔａｔｉｏｎ｝）が送信されたときに、その送信情報に含まれる出力形式（例えば、ｓｔａｔｉｏｎ）と、位置情報測位部１０２ｂが記憶している位置情報（例えば、（緯度，経度）＝（ｘ１，ｙ１））とに関連付けられた位置関連情報（例えば、東京駅）を、位置関連情報記憶部２４２ｂから読み出し、送信情報を位置関係情報に変換する。
【００５４】
図１０は、本発明の第２の実施形態による位置情報通知システムの処理を示すシーケンス図である。なお、図１０の処理を行う前提として、位置関連情報記憶部２４２ｂには、位置情報の出力形式と位置情報とに関連付けられた位置関連情報が予め記録される。
始めに、位置情報出力形式決定部１０６は、位置情報通知装置１００ｂの利用者の入力部１０４での入力に基づいて、位置情報の出力形式（例えば、ｓｔａｔｉｏｎ）や、制御信号列（例えば、＠ｈｅｒｅ）を決定し（ステップＳ２０）、それらの情報を送信情報生成部１０８に出力する。
【００５５】
次に、送信情報生成部１０８は、位置情報出力形式決定部１０６から出力される出力形式（例えば、ｓｔａｔｉｏｎ）及び制御信号列（例えば、＠ｈｅｒｅ）を含む送信情報（例えば、＠ｈｅｒｅ｛ｓｔａｔｉｏｎ｝）を生成する（ステップＳ２１）。
そして、通信部１０９は、送信情報生成部１０８が生成した送信情報を、外部装置２４０ｂに対して送信する（ステップＳ２２）。
【００５６】
通信部２４３は、位置情報通知装置１００ｂからステップＳ２３で送信された送信情報を受信し（ステップＳ２３）、位置情報変換部２４１に出力する。
次に、位置情報測位部１０２ｂは、記憶している自外部装置２４０ｂの位置情報（例えば、（緯度，経度）＝（ｘ１，ｙ１））を読み出すことにより取得し（ステップＳ２４）、その位置情報を位置情報変換部２４１に出力する。
【００５７】
そして、位置情報変換部２４１は、通信部１０９から送信された送信情報に含まれる出力形式（例えば、ｓｔａｔｉｏｎ）と、位置情報測位部１０２ｂから出力された位置情報（例えば、（緯度，経度）＝（ｘ１，ｙ１））とに関連付けられた位置関連情報（例えば、東京駅）を、位置関連情報記憶部２４２ｂから読み出し（ステップＳ２５）、送信情報（例えば、＠ｈｅｒｅ｛ｓｔａｔｉｏｎ｝）を位置関係情報（例えば、東京駅）に変換する。
次に、通信部２４３は、位置情報変換部２４１がステップＳ２５で変換した送信情報を、位置情報通知先装置２６０ｂに対して送信する（ステップＳ２６）。
【００５８】
通信部２６３は、外部装置２４０からステップＳ２６で送信された送信情報を受信し（ステップＳ２７）、制御部２６１に出力する。
そして、制御部２６１は、ステップＳ２７で受信した送信情報（例えば、東京駅）を表示部１０３に表示する（ステップＳ２８）。
【００５９】
本発明の第２の実施形態では、位置情報通知装置１００ｂの利用者が、最寄りの駅が東京駅であることを調べて、位置情報通知装置１００ｂの入力部１０４から東京駅と入力しなくても、位置情報の出力形式を駅と選択するだけで、位置情報通知先装置２６０ｂに位置関連情報として東京駅を通知することができるので、位置情報通知装置１００ｂの利用者の入力作業に要する負担を軽減することができる。
また、本発明の第２の実施形態では、位置情報測位部を位置情報通知装置１００ｂではなく外部装置２４０ｂに設けるようにしたので、位置情報測位部をそれぞれの位置情報通知装置に設ける必要がなくなり、位置情報通知装置の製造コストを削減することができる。
【００６０】
（第３の実施形態）
次に、本発明の第３の実施形態について説明する。なお、第３の実施形態が第１の実施形態と同様の構成を有する部分については、同一の符号を付してそれらの説明を省略する。
【００６１】
図１１は、本発明の第３の実施形態による位置情報通知装置１００ｃ、外部装置２４０ｃ、位置情報通知先装置２６０ｃのブロック図である。第３の実施形態の位置情報通知先装置２６０ｃの構成は、位置情報通知装置１００ｃと同一の構成を有するため説明を省略する。第３の実施形態では、位置情報出力形式決定部１０６で制御信号列として、＠ｈｅｒｅだけでなく、＠ｗｈｅｒｅも選択することができる。
【００６２】
第３の実施形態では、位置情報通知装置１００ｃには、位置情報変換部２４１ｃ、位置関連情報記憶部２４２ｃ、受信情報抽出部１０７が設けられている点において、第１の実施形態（図３）と相違する。また、第３の実施形態では、外部装置２４０ｃには、位置情報変換部２４１、位置関連情報記憶部２４２ｂが設けられておらず、管理部４４１、位置情報履歴記憶部４４２が設けられている点において、第１の実施形態（図３）と相違する。
【００６３】
位置情報変換部２４１ｃは、位置情報出力形式決定部１０６で決定されポリシー制御部４０５を介して出力される出力形式（例えば、駅）と、位置情報測位部１０２ａで測位されポリシー制御部４０５を介して出力される位置情報（例えば、（緯度，経度）＝（ｘ２，ｙ２）とに関連付けられた位置関連情報（例えば、東京駅）を、位置関連情報記憶部２４２ｃから読み出し、送信情報（例えば、東京駅）を生成する。
位置関連情報記憶部２４２ｃは、出力形式と位置情報とに関連付けられた位置関連情報を予め記憶する。位置関連情報記憶部２４２ｃに記憶されている情報は、第１の実施形態における位置関連情報記憶部２４２ａと同じであるので、その説明を省略する。
【００６４】
受信情報抽出部１０７は、外部装置２４０ｃから送信される送信情報（例えば、＠ｗｈｅｒｅ｛ｓｔａｔｉｏｎ｝）から、制御信号列（＠ｗｈｅｒｅ）を読み取る。受信情報抽出部１０７は、制御信号列として＠ｗｈｅｒｅが含まれていた場合には、制御信号列を＠ｗｈｅｒｅから＠ｈｅｒｅに変換して、送信情報生成部１０８に送信情報（例えば、＠ｈｅｒｅ｛ｓｔａｔｉｏｎ｝、（ｘ２，ｙ２））を生成させる。
【００６５】
管理部４４１は、位置情報通知装置１００ｃからの送信情報を受信した場合に、その送信情報を受信した時刻（例えば、２００７年１月１５日１２時００分）と、その送信情報を送信した位置情報通知装置１００ｃの識別情報（例えば、００００１１１１）とを対応付けて、位置情報履歴記憶部４４２に記録したり、位置情報履歴記憶部４４２に記録されている情報を読み出したりする。位置情報履歴記憶部４４２は、メモリなどの記憶機器である。
【００６６】
図１２（ａ）〜図１２（ｈ）は、本発明の第３の実施形態による位置情報通知装置１００ｃの表示部１０３に表示される画像の一例を示す図である。
受信情報抽出部１０７が制御信号列として＠ｗｈｅｒｅを抽出した場合には（図１２（ａ））、位置情報出力形式決定部１０６は、表示部１０３の表示画面７１０に＠ｈｅｒｅ｛ｓｔａｔｉｏｎ｝という制御文字列を表示して、送信情報の作成を開始する（図１２（ｂ））。
また、受信情報抽出部１０７が制御信号列として＠ｗｈｅｒｅ｛ａｄｄｒｅｓｓ｝を抽出した場合には（図１２（ｃ））、位置情報出力形式決定部１０６は、表示部１０３の表示画面７１０に＠ｈｅｒｅ｛ａｄｄｒｅｓｓ｝という制御文字列を表示して、送信情報の作成を開始する（図１２（ｄ））。
【００６７】
なお、受信情報抽出部１０７が、制御信号列として＠ｗｈｅｒｅを抽出した場合に、図１２（ａ）〜図１２（ｄ）で説明したように制御信号列を＠ｗｈｅｒｅから＠ｈｅｒｅに変換して送信情報生成部１０８に送信情報を生成させるのではなく、以下の処理を行ってもよい。つまり、受信情報抽出部１０７が、制御信号列として＠ｗｈｅｒｅを抽出した場合に（図１２（ｅ）、図１２（ｇ））、表示部１０３の表示画面７１０の領域７１２に「どこ」という文字列を表示するとともに（図１２（ｆ）、図１２（ｈ））、表示部１０３の表示画面７１０の領域７１４に位置情報の出力形式（例えば、ランドマークや店舗）を選択するための領域７３５（ランドマーク）や領域７３８（店舗）を表示するようにしてもよい（図１２（ｆ）、図１２（ｈ））。
図１２（ｅ）〜図１２（ｈ）のような処理を行うことにより、＠ｗｈｅｒｅの制御信号列が含まれた送信信号を位置情報通知装置１００ｃが受信した場合であっても、表示部７１０に標示される領域７３５や領域７３８を選択しなければ、位置関連情報が位置情報通知先装置１００ｄに送信されることがないので、位置情報通知装置１００ｃの利用者の意図に応じて、位置関連情報を位置情報通知先装置１００ｄに通知するか否かを制御することができる。
【００６８】
なお、図１２（ｄ）では、表示部１０３の表示画面７１０には、領域９３３（地図）が表示されており、この領域９３３が選択された場合には、位置情報変換部２４１ｃが位置関連情報記憶部２４２ｃから読み出す位置関連情報で特定される住所の周辺の地図を、地図を記憶しているサーバから取得して、表示画面７１０に表示する。
また、表示部１０３の表示画面７１０には、領域９３４（リンク）が表示されており、この領域９３４が選択された場合には、位置情報変換部２４１ｃが位置関連情報記憶部２４２ｃから読み出す位置関連情報で特定される店舗のホームページを、インターネット上のサーバから取得して、表示画面７１０に表示する。
【００６９】
図１３（ａ）〜図１３（ｅ）は、本発明の第３の実施形態による位置情報通知装置１００ｃの表示部１０３に表示される画像の一例を示す図である。
表示部１０３の表示画面７１０には、２つの領域８１２、８１４が表示されている（図１３（ｄ））。利用者が入力部１０４を操作することにより、領域８１２に制御文字列として＠ｗｈｅｒｅを入力すると、表示部１０３の表示画面７１０は、図１３（ｄ）から図１３（ａ）のように変化する。
【００７０】
領域８１２に制御文字列を入力すると、表示部１０３の表示画面７１０は、図１３（ａ）から図１３（ｂ）のように変化し、領域８１２に「＠ｗｈｅｒｅ」という文字列が表示されるとともに、領域８１４に出力形式を選択するための領域８３５（駅）、領域８３６（ランドマーク）、領域８３７（住所）、領域８３８（店舗）が表示される。ここで、領域８３１（戻る）を選択すると、表示部１０３の表示画面７１０が、図１３（ｂ）から図１３（ａ）のように変化する。
【００７１】
図１３（ｂ）において、領域８３５〜８３８の中から、領域８３５（駅）を選択すると、表示部１０３の表示画面７１０は、図１３（ｂ）から図１３（ｃ）のように変化し、領域８１２に「＠ｗｈｅｒｅ｛ｓｔａｔｉｏｎ｝」という文字列が表示される。ここでは、位置情報出力形式として駅（ｓｔａｔｉｏｎ）のみを選択する場合を示しているが、図１３（ｃ）で領域８４１（追加）を選択すると、表示部１０３の表示画面７１０が図１３（ｃ）から図１３（ｂ）のように変化し、複数の位置情報の出力形式を選択することができる。
【００７２】
図１３（ｃ）で、領域８４３（送信）を選択すると、表示部１０３の表示画面７１０が図１３（ｃ）から図１３（ｅ）のように変化し、領域８１２に「送信しました」という文字列が表示される。
図１３（ｅ）で、領域８７１（ＯＫ）を選択すると、表示部１０３の表示画面７１０が図１３（ｅ）から図１３（ｄ）のように変化する。
【００７３】
なお、図１４（ａ）〜図１４（ｃ）に示すように、位置情報通知装置１００ｃで複数の位置情報の出力形式を選択して、位置情報通知先装置２６０ｃに送信するようにしてもよい。つまり、位置情報通知装置１００ｃの表示部１０３の領域７１２に「＠ｗｈｅｒｅ｛ｓｔａｔｉｏｎ，ｌａｎｄｍａｒｋ｝」と入力することにより、２つの出力形式（ここでは、駅とランドマーク）を指定し（図１４（ａ））、位置情報通知先装置２６０ｃの表示部の表示画面７１１の領域７１３に「どこ」という文字列を表示するとともに、領域７１５に出力形式を選択するための領域８４５（駅）と領域（ランドマーク）とを表示するようにしてもよい（図１４（ｂ））。
なお、図１４（ｂ）において、位置情報通知装置１００ｃから送信された送信情報に含まれる制御信号列＠ｗｈｅｒｅを＠ｈｅｒｅに変換して、＠ｈｅｒｅ｛ｓｔａｔｉｏｎ，ｌａｎｄｍａｒｋ｝という文字列を位置情報通知先装置１００ｄの表示部の領域７１３に、表示するようにしてもよい。
なお、位置情報通知装置１００ｄの表示部の表示画面７１１には、図１４（ｂ）に示すように、領域８４７（地図）が表示されており、この領域８４７が選択された場合には、位置情報通知装置１００ｄが存在する地点の周辺の地図を、地図を記憶しているサーバから取得して、表示画面７１１に表示する。
【００７４】
本発明の第３の実施形態では、制御信号列＠ｗｈｅｒｅ（所定の制御信号列とも称する）と位置情報の出力形式（例えば、ｓｔａｔｉｏｎ）とを通信部１０９（受信部とも称する）が受信した場合に、出力形式（例えば、ｓｔａｔｉｏｎ）と位置情報測位部１０２ａが測位した位置情報（（緯度，経度）＝（ｘ２，ｙ２））とを、受信部１０９から外部装置２４０ｃに対して送信するようにした。これにより、通信部１０９が制御信号列＠ｗｈｅｒｅを受信した場合には、位置情報通知装置１００ｃの利用者が位置情報出力形式決定部１０６で出力形式を決定しなくても、自位置情報通知装置１００ｃの位置情報（（緯度，経度）＝（ｘ２，ｙ２））についての位置関連情報（例えば、東京駅）を位置情報通知先装置２６０ｃに通知することができ、利用者の操作負担を軽減することができる。
また、第３の実施形態では、外部装置２４０ｃの位置情報履歴記憶部４４２に、位置情報通知装置１００ｃから送信情報を受信した時刻と、その送信情報を送信した位置情報通知装置１００ｃの識別情報とを対応付けて記憶するようにしたので、その位置情報通知装置１００ｃが所定の時刻にどの地点に存在したのかを特定することができる。
【００７５】
本発明の第１〜第３の実施形態による位置情報通知システムは、位置情報を取得可能な一般的な端末に適用することが可能であるため、特に携帯電話にのみならずＧＰＳ機能を搭載可能なＰＣネットワーク、あるいは他の位置情報取得サービスと組み合わせる形式での双方向型のコミュニケーションシステムや、位置情報記述を含むあるいはそれによって得られた情報を参照するコンテンツ配信サービスに広く適用できる。
【００７６】
なお、以上説明した実施形態において、図３、図９、図１１の位置情報通知装置１００ｃの位置情報測位部１０２ａ、表示部１０３、入力部１０４、ポリシー制御部１０５、位置情報出力形式決定部１０６、送信情報生成部１０８、通信部１０９、位置情報コーパス記憶部１１０、位置情報変換部２４１ｃ、位置関連情報記憶部２４２ｃや、外部装置２４０ａの位置情報測位部１０２ｂ、位置情報変換部２４１、位置関連情報記憶部２４２ａ、２４２ｂ、通信部２４３や、送信情報通知先装置２６０ａ〜２６０ｃの制御部２６１、表示部２６２、通信部２６３の機能又はこれらの機能の一部を実現するためのプログラムをコンピュータ読み取り可能な記録媒体に記録して、この記録媒体に記録されたプログラムをコンピュータシステムに読み込ませ、実行することにより位置情報通知システムの制御を行ってもよい。なお、ここでいう「コンピュータシステム」とは、ＯＳや周辺機器等のハードウェアを含むものとする。
【００７７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７８】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００７９】
【図１】本発明の第１の実施形態による位置情報通知システムの概略構成図である。
【図２】本発明の第１の実施形態による位置情報通知システムの概略構成図の他の一例である。
【図３】本発明の第１の実施形態による位置情報通知装置１００ａ、外部装置２４０ａ、位置情報通知先装置２６０ａのブロック図である。
【図４】本発明の第１の実施形態による位置情報通知システムの処理を示すシーケンス図である。
【図５】本発明の第１の実施形態による位置情報通知装置１００ａの処理を示すフローチャートである。
【図６】本発明の第１の実施形態による位置情報通知装置１００ａの表示部１０３に表示される画像の一例を示す図である。
【図７】本発明の第１の実施形態による位置情報通知装置１００ａの表示部１０３と位置情報通知先装置２６０ａの表示部２６２に表示される画像の一例を示す図である。
【図８】本発明の第１の実施形態による位置情報通知装置１００ａの表示部１０３と位置情報通知先装置２６０ａの表示部２６２に表示される画像の一例を示す図である。
【図９】本発明の第２の実施形態による位置情報通知装置１００ｂ、外部装置２４０ｂ、位置情報通知先装置２６０ｂのブロック図である。
【図１０】本発明の第２の実施形態による位置情報通知システムの処理を示すシーケンス図である。
【図１１】本発明の第３の実施形態による位置情報通知装置１００ｃ、外部装置２４０ｃのブロック図である。
【図１２】本発明の第３の実施形態による位置情報通知装置１００ｃの表示部１０３に表示される画像の一例を示す図である。
【図１３】本発明の第３の実施形態による位置情報通知装置１００ｃの表示部１０３に表示される画像の一例を示す図である。
【図１４】本発明の第３の実施形態による位置情報通知装置１００ｃの表示部１０３に表示される画像の一例を示す図である。
【符号の説明】
【００８０】
１００ａ〜１００ｃ・・・位置情報通知装置、１０２ａ、１０２ｂ・・・位置情報測位部、１０３・・・表示部、１０４・・・入力部、１０５・・・ポリシー制御部、１０６・・・位置情報出力形式決定部、１０７・・・受信情報抽出部、１０８・・・送信情報生成部、１０９・・・通信部、１１０・・・位置情報コーパス記憶部、２２０・・・基地局装置、２３０・・・制御局装置、２４０ａ〜２４０ｃ・・・外部装置、２４１、２４１ｃ・・・位置情報変換部、２４２ａ〜２４２ｃ・・・位置関連情報記憶部、２４３・・・通信部、２５０・・・基地局装置、２６０ａ〜２６０ｃ・・・位置情報通知先装置、４４１・・・管理部、４４２・・・位置情報履歴記憶部
【図１】
2008282139.tif 000003
【図２】
2008282139.tif 000004
【図３】
2008282139.tif 000005
【図４】
2008282139.tif 000006
【図５】
2008282139.tif 000007
【図６】
2008282139.tif 000008
【図７】
2008282139.tif 000009
【図８】
2008282139.tif 000010
【図９】
2008282139.tif 000011
【図１０】
2008282139.tif 000012
【図１１】
2008282139.tif 000013
【図１２】
2008282139.tif 000014
【図１３】
2008282139.tif 000015
【図１４】
2008282139.tif 000016